(57)【要約】【課題】  同一面に複数枚のパネルを配列してパネル壁を構成する各パネル間に介在する目地部材の提供。【解決手段】  目地部材１は底面部２の上面中央に中央凸部３を突出した概略逆Ｔ型断面の樹脂製長尺材であり、上記中央凸部３の上面及び両側面にパネル表面に調和するシート８又はフィルムを貼り付けている。【選択図】    図１
0003231949.tif 000002
【実用新案登録請求の範囲】
【請求項１】
同一面に複数枚のパネルを配列してパネル壁を構成する各パネル間に介在する目地部材において、該目地部材は底面部の上面中央に中央凸部を突出した概略逆Ｔ型断面の樹脂製長尺材であり、上記中央凸部の上面及び両側面にシート又はフィルムを貼り付けたことを特徴とするパネル壁の目地部材。
【請求項２】
上記中央凸部の上面に凹溝を長手方向に連続して形成した請求項１記載のパネル壁の目地部材。
【考案の詳細な説明】
【技術分野】
【０００１】
本考案はパネル壁を構成する場合、配列する複数枚のパネル間に介在して両パネルを連結する概略逆Ｔ型断面の目地部材に関するものである。
【背景技術】
【０００２】
図４は従来から一般的に使用されている概略逆Ｔ型断面をしたパネル目地部材を表す斜視図である。同図に示すように目地部材（イ）は概略逆Ｔ型断面を有す長尺材であり、底面部（ロ）と中央凸部（ハ）から成っている。該中央凸部（ハ）は底面部（ロ）の表面中央に設けられ、底面部（ロ）と共に長手方向へ延びている。
そして、中央凸部（ハ）の上面は窪んで凹溝（ニ）が設けられ、また、底面部（ロ）の底面中央にも凹溝（ホ）を形成している。
【０００３】
図５は上記目地部材（イ）を介してパネル（ヘ）、（ヘ）を連結している場合の断面図を表している。左右のパネル（ヘ）、（ヘ）はその側端（ト）、（ト）を中央凸部（ハ）の側面（チ）、（チ）に当接して取付けられる。
このように、一定幅のパネル（ヘ）、（ヘ）は間に目地部材（イ）、（イ）・・・を介在することで、パネル壁を構成することが出来る。
【０００４】
目地部材（イ）、（イ）・・・を介在することなく複数枚のパネル（ヘ）、（ヘ）・・・を連続して配列してもパネル壁を構成することは可能である。しかし、目地部材（イ）、（イ）・・・が介在しないパネル壁は、各パネル（ヘ）、（ヘ）・・・の側端が突き合わされて形成される細いスジが出来るだけであり、このようなパネル壁は、仮にパネル表面に模様があっても単調になってしまう。しかも、隣り合うパネル（ヘ）、（ヘ）・・・の突き合せ面に段差を生じることがある。
【０００５】
したがって、図５に示すようにパネル壁を構成する各パネル（ヘ）、（ヘ）・・・間には目地部材（イ）、（イ）・・・を介在した構造としている。概略逆Ｔ型の目地部材（イ）、（イ）・・・が介在することで底面部（ロ）はパネル（ヘ）、（ヘ）の底に収まり、中央凸部（ハ）、（ハ）・・・が目地として各パネル（ヘ）、（ヘ）・・・の間に表面化する。
【０００６】
ところで、パネル（ヘ）、（ヘ）・・・の表面色彩及び表面模様は用途によって多種多様化し、その為に目地部材（イ）の中央凸部（ハ）の外観色彩や模様がパネル（ヘ）に適合しない場合があり、パネル壁の外観が損なわれるといった問題が発生する。
そこで、各種色彩や模様を形成した目地部材を前以て製作しておき、必要に応じてパネルに調和する目地部材を選択して使用することは可能であるが、製作コストと共に管理コストがかかる。
【０００７】
従来においても、パネル間に介在する目地部材に関する文献は色々知られている。例えば、特開平１０−１８４５４号に係る「パネル連結用目地部材」は、建築用等の壁板又は、硝子板等のパネル接合面に挿着して使用する目地部材であって、その内部中空部に粘着剤等の接着材料を充填し、使用時に裂切して流出させて接着固定することが出来る。
合成樹脂、又は合成ゴム等より長手方向に押し出し成型される目地部材には、長手方向の一方に目地頭部を設け、この目地頭部に挿入脚部を設けると共に、挿入脚部の先端の両側より傾斜片を設け、この傾斜片に連接して水平片を設けて中空部を形成する。そして、中空部の内部に粘着剤を充填すると共に、水平片の所定位置に長手方向の薄肉溝を形成している。
【０００８】
また、特開２０１７−９５９１０号に係る「内装用目地材」は、壁パネルや天井パネルの境目部分においてパネル表面の意匠を最大限活かしつつ、隣接するパネル間の隙間を外観上、目立たなくさせることができ、しかも、色のバリエーションを増やす必要もない内装用目地材である。
板状または棒状のフロント部と、裏側フランジ部と、これらを繋ぐ連結部とを有し、かつ前記フロント部と裏側フランジ部の間に、内装パネルが挿入される嵌装凹部を備えて構成すると共に、フロント部を透明樹脂材料によってプリズム作用またはレンズ作用を及ぼす形状または構造に形成して、嵌装凹部に内装パネルを装着したとき、フロント部の裏側に配置された内装パネルの表面を、フロント部を通して拡大または位置をズラして映し出すことにより、内装パネル間の隙間の可視面積が小さくなるようにしている。
【０００９】
このように、隣り合うパネル間に介在して取付けられる目地部材に関しての文献も色々知られている。しかし、上記文献記載の目地部材はその基本的な形態が本考案の目地部材とは違い、その用途も異なる。
【特許文献１】特開平１０−１８４５４号に係る「パネル連結用目地部材」
【特許文献２】特開２０１７−９５９１０号に係る「内装用目地材」
【考案の開示】
【考案が解決しようとする課題】
【００１０】
このように、パネル壁を構成する場合、連結されるパネル間に介在する目地部材には上記のごとき問題がある。本考案が解決しようとする課題はこの問題点であり、各パネル間に表面化する中央凸部がパネルの外観と調和するように、該中央凸部表面にフィルムやシートを貼り付けたパネルの目地部材を提供する。
【課題を解決するための手段】
【００１１】
本考案に係るパネル目地部材は樹脂製で、前記図４に示した概略逆Ｔ型断面の長尺材で、底面部の表面中央に中央凸部を突出して設け、長手方向に延びている。そして、中央凸部の上面には凹溝が形成され、該凹溝も長手方向に連続して延びている。ただし、該凹溝の断面形状は特に限定せず、例えば半円形や四角形などとすることが出来る。
また、該凹溝を設けなくても目地部材としては同じように機能するが、凹溝を設ける方が目地としての外観が好ましくなる。
【００１２】
そして、上記中央凸部の表面である上面及び両側面にはフィルム又はシートが貼着される。底面部は壁面に貼り付けられるパネルの底に位置して表面化せず、中央凸部の側面にはパネル側端が当接する為に側面全体は表面化しない。上記フィルム又はシートが貼着される領域は、貼り付けられるパネルにて被覆されない部分であり、フィルム及びシートはパネルの外観と調和する色彩や模様が採用される。
【考案の効果】
【００１３】
本考案のパネル目地部材はその断面を概略逆Ｔ型とした長尺材であり、底面部の表面に中央凸部を設けている。壁面に貼り付けるパネル間には該目地部材が介在し、上記中央凸部は目地としてパネル間に位置する。
したがって、隣り合うパネルの突合せ面に段差が生じても、間に中央凸部が介在することで段差が表面化することなく、パネルは整然と配列されてパネル壁が構成される。
【００１４】
そして、中央凸部の表面となる上面及び少なくとも側面の一部にはフィルム又はシールが貼着されている。このフィルム又はシートはパネルの外観と調和することが出来る色彩や模様が形成され、その為に目地部材の中央凸部とパネルは調和して外観的に好ましいパネル壁となる。成形される目地部材は無地の同一色彩であるが、フィルムやシートを中央凸部に貼り付けることで、パネル外観と調和する目地部材となり、コスト的には安く製作できる。
【図面の簡単な説明】
【００１５】
【図１】本考案に係る目地部材を示す実施例。
【図２】本考案に係る目地部材を介在して両パネルを配置した断面図。
【図３】本考案の目地部材を示す他の実施例。
【図４】従来の目地部材を示す具体例。
【図５】従来の目地部材にてパネルを連結した場合。
【考案を実施するための形態】
【００１６】
図１は本考案に係る目地部材１を示す実施例であり、斜視図を表している。同図の２は底面部、３は中央凸部を示し、該中央凸部３は底面部２の表面中央に突出して長手方向に延びる長尺材である。上記中央凸部３は概略Ｍ型断面であって、上面には凹溝４が設けられ、長手方向に延びている。
すなわち、中央凸部３は概略Ｍ型断面であって、凹溝４の両側には上縁面１２，１２を有し、両側には側面１３，１３を有している。
そして、上記底面部２は左右の左底面部２ａと右底面部２ｂから成り、間には長手方向に延びる凹溝５を有している。
【００１７】
左右底面部２ａ，２ｂの上面６ａ，６ｂは傾斜して先端側の板厚は薄く成っている。ただし、左右の底面７ａ，７ｂは平坦な同一面を成している。
ところで、目地部材１は樹脂を成形した長尺材であるが、中央凸部３の表面にはシート８が貼着されている。すなわち、シート８は凹溝４、両上縁面１２，１２、そして両側面１１，１１に貼着されていて、該シート８の色彩及び模様はパネル表面と調和している。
【００１８】
目地部材１は樹脂製の無地で全て同一色彩であっても、中央凸部３の表面にシート８を貼り付けることで、パネルと調和のとれた部材となる。
図２はパネル壁９の断面を示す実施例である。パネル１０，１０の間には目地部材１が介在しているが、パネル１０，１０はその側端が目地部材１の中央凸部３の側面１１，１１に当接している。
【００１９】
パネル１０は一定厚さの長方形板で、パネル１０，１０・・・が壁面に配列・固定されてパネル壁９が構成される。そして、各パネル１０，１０・・・の間には本考案の目地部材１，１・・・が介在し、これら目地部材１，１・・・はパネル壁９に設けられる一種の模様に成っている。
この目地部材１，１・・・を介在することなく、各パネル１０，１０・・・同士の側端を突き合わせた状態で配列することも可能であるが、完成したパネル壁９の外観は単調に成ってしまう。
【００２０】
また、突き合わせ面に段差が生じるならば、パネル壁９の外観が損なわれる。目地部材１，１・・・をパネル１０，１０・・・間に介在することで、中央凸部３，３・・・がパネル１０，１０・・・の目地とし機能し、その為にパネル１０，１０・・・の側端に僅かな段差があっても中央凸部３，３・・・が間に介在することでこの段差は打ち消される。
【００２１】
一方、前記図１に示すように、中央凸部３の表面（上面及び側面）にはシート又はフィルムが貼着されている。このシート８はパネル１０の表面色彩及び模様に調和することが出来る外観を呈している。
勿論、シート８の具体的な色彩及び模様は特に限定せず、あくまでもパネル表面と調和するものであればよい。したがって、目地部材１はいかような色彩の樹脂を用いて成形してもよく、表面化する中央凸部３だけにパネル壁９として使用するパネル１０の外観に合わせてシートを貼り付けることが出来る。
【００２２】
図３は本考案の目地部材１の断面を示す他の実施例である。
（ａ）は中央凸部３に設けている凹溝４の断面形状を四角形としている。
（ｂ）は中央凸部３に設けている凹溝４の断面形状をＶ形としている。
（ｃ）は中央凸部３に設けている凹溝４の断面形状を多角形としている。
そして、上記中央凸部３の上面と成る凹溝４の内面及び側面１１，１１にはシート８を貼着している。
【符号の説明】
【００２３】
１   目地部材
２   底面部
３   中央凸部
４   凹溝
５   凹溝
６   上面
７   底面
８   シート
９   パネル壁
10   パネル
11   側面
12   上側縁
【図１】
0003231949.tif 000003
【図２】
0003231949.tif 000004
【図３】
0003231949.tif 000005
【図４】
0003231949.tif 000006
【図５】
0003231949.tif 000007